(57)【要約】      （修正有）【課題】グレーティング板の表面に合成立体画像を直接にプリントできると共に、合成立体画像を保護して合成立体画像の視覚効果を向上できるように不透明層である底層を形成するための立体画像生成装置を提供する。【解決手段】物件を撮影することで物件画像を生成するための画像撮影装置と、前記物件画像から前記物件をキャプチャし、前記物件を処理することによって前景物件画像を生成し、前記前景物件画像と後景画像を合成することによって前記合成立体画像を生成するための制御ユニットとを備える。さらに、少なくとも一つの前記背景画像を記憶する背景画像記憶ユニットと、前記合成立体画像を前記グレーティング板の前記平坦表面にプリントするためのプリンター装置と、前記合成立体画像がプリントされた前記グレーティング板の上方に不透明層を形成するための底層形成装置とを備えて、立体画像生成装置とする。【選択図】図１
0003178685.tif 000002
【実用新案登録請求の範囲】
【請求項１】
合成立体画像を平坦表面と前記平坦表面の反対面に設けられるグレーティング構造表面を有するグレーティング板の前記平坦表面にプリントするための立体画像生成装置であって、
物件を撮影することで物件画像を生成するための画像撮影装置と、
前記物件画像から前記物件をキャプチャし、前記物件を処理することによって前景物件画像を生成し、前記前景物件画像と後景画像を合成することによって前記合成立体画像を生成するための制御ユニットと、
少なくとも一つの前記背景画像を記憶する背景画像記憶ユニットと、
前記合成立体画像を前記グレーティング板の前記平坦表面にプリントするためのプリンター装置と、
前記合成立体画像がプリントされた前記グレーティング板の上方に不透明層を形成するための底層形成装置と、
を含むことを特徴とする立体画像生成装置。
【請求項２】
前記グレーティング板が前記立体画像生成装置に設置されたか否かを検知するための検知装置を更に含むことを特徴とする請求項１に記載の立体画像生成装置。
【請求項３】
前記グレーティング板に少なくとも前記プリンター装置と前記底層形成装置の設置位置を通過させるように前記グレーティング板を輸送するための伝動ユニットを更に含むことを特徴とする請求項１に記載の立体画像生成装置。
【請求項４】
前記画像撮影装置は、デジタルカメラ、若しくはＣＭＯＳ感光素子又はＣＣＤ感光素子を備える撮影装置であることを特徴とする請求項１に記載の立体画像生成装置。
【請求項５】
前記制御ユニットは、
前記物件画像から前記物件をキャプチャし、キャプチャした前記物件を処理することによって前記前景物件画像を生成するための画像キャプチャユニットと、
前記前景物件画像と前記背景画像を合成することによって前記合成立体画像を生成するための立体画像合成ユニットと、
を含むことを特徴とする請求項１に記載の立体画像生成装置。
【請求項６】
前記伝動ユニットは、モーターと複数のローラーを含み、
前記複数のローラーは、前記モーターにより駆動されて回転することを特徴とする請求項３に記載の立体画像生成装置。
【請求項７】
前記プリンター装置は、熱転写装置であることを特徴とする請求項１に記載の立体画像生成装置。
【請求項８】
前記底層形成装置は、不透明材料をプリントすることで前記不透明層を形成するためのインクジェットプリント装置、前記不透明材料をエンボスすることで前記不透明層を形成するためのエンボス装置、若しくは前記不透明材料をコーティングすることで前記不透明層を形成するためのコーティング装置であることを特徴とする請求項１に記載の立体画像生成装置。
【考案の詳細な説明】
【技術分野】
【０００１】
本考案は、立体画像生成装置に関するものであり、特に立体写真を生成するための装置に関するものである。
【背景技術】
【０００２】
台湾特許出願番号第０９８１３０５２３号（台湾特許公告第Ｉ３５７８５７号公報）に係る立体写真をプリントする方法及びそのプリンター装置は立体写真をプリントするための手段に関するものである。その方法は、複数の染料領域と保護領域を含む色帯（ｃｏｌｏｒ  ｂａｎｄ）における保護層領域の表面にはグレーティング構造を製造する工程と、目標画像データを受ける工程と、印刷媒体（ｐｒｉｎｔｉｎｇ  ｍｅｄｉａ）を移動させる工程と、印刷媒体を移動させる時、目標画像データに基づいて色帯における複数の染料領域を印刷媒体にそれぞれに転写する工程と、色帯における複数の染料領域を印刷媒体にそれぞれ転写した後、色帯における保護層領域を印刷媒体に転写する工程と、を含む。
【先行技術文献】
【特許文献】
【０００３】
【特許文献１】台湾特許出願番号第０９８１３０５２３号（台湾特許公告第Ｉ３５７８５７号公報）
【考案の概要】
【考案が解決しようとする課題】
【０００４】
台湾特許出願番号第０９８１３０５２３号（台湾特許公告第Ｉ３５７８５７号公報）に係る発明は、立体写真をグレーティング構造を有する印刷媒体に直接にプリントすることができないという欠点がある。また、従来技術は、未だに一般のユーザー向けの立体画像出力設備を提供していない。
【０００５】
そこで、上記事情を鑑みて、本考案の出願人は、鋭意検討を行なった結果、合理的な設計で且つ上記の欠点を有効に改善できる立体画像生成装置を完成するに至った。
【０００６】
本考案の目的は、グレーティング板の表面に合成立体画像を直接にプリントできると共に、合成立体画像を保護して合成立体画像の視覚効果を向上できるように不透明層である底層を形成するための立体画像生成装置を提供することにある。
【課題を解決するための手段】
【０００７】
本考案の目的を達成するために、本考案は、合成立体画像を平坦表面と前記平坦表面の反対面に設けられるグレーティング構造表面を有するグレーティング板の前記平坦表面にプリントするための立体画像生成装置であって、物件を撮影することで物件画像を生成するための画像撮影装置と、前記物件画像から前記物件をキャプチャし、前記物件を処理することによって前景物件画像を生成し、前記前景物件画像と後景画像を合成することによって前記合成立体画像を生成するための制御ユニットと、少なくとも一つの前記背景画像を記憶する背景画像記憶ユニットと、前記合成立体画像を前記グレーティング板の前記平坦表面にプリントするためのプリンター装置と、前記合成立体画像がプリントされた前記グレーティング板の上方に不透明層を形成するための底層形成装置と、を含む立体画像生成装置を提供する。
【考案の効果】
【０００８】
本考案に係る立体画像生成装置によれば、合成立体画像をグレーティング板の表面に直接にプリントできると共に不透明層である底層を形成するため、合成立体画像を保護することができる。更に、不透明層は非透光であるため、外部光線が底層からグレーティング板の内部に入り込むことができず、ひいては合成立体画像の視覚効果を向上することができる。
【図面の簡単な説明】
【０００９】
【図１】本考案に係る立体画像生成装置の構成図を示すものである。
【図２Ａ】本考案に係る合成立体画像がプリントされていない態様のグレーティング板の立体構造図を示すものである。
【図２Ｂ】本考案に係る合成立体画像がプリントされていない態様の他の視角のグレーティング板の立体構造図を示すものである。
【図３】本考案に係る制御ユニットにより処理して生成した合成立体画像の例示図を示すものである。
【図４】本考案に係る立体画像生成装置がグレーティング板をプリント処理する過程の模式図を示すものである。
【図５】本考案に係る立体画像生成装置によりプリントした合成立体画像を有するグレーティング板の側面図を示すものである。
【考案を実施するための形態】
【００１０】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１１】
図１〜図５を参照しながら説明する。本考案に係る立体画像生成装置１０は立体写真を作成するためのものであり、例えば立体写真を作成するプリントシール機などであってもよい。立体画像生成装置１０は、図２Ａと図２Ｂに示すグレーティング構造を有するグレーティング板２０により立体写真を作成する。グレーティング板２０は、立体画像を生成させる効果を有する。グレーティング板２０の一方の表面は、大体半円形柱状を呈するレンズを複数配列してなるグレーティング構造表面２０１である。グレーティング板２０の他方の表面は平坦表面２０３である。立体画像生成装置１０は、画像撮影装置１０１、制御ユニット１０２、背景画像記憶ユニット１０３、プリンター装置１０４及び底層形成装置１０５を含む。
【００１２】
画像撮影装置１０１は、物件を撮影することによって物件画像を生成するためのものである。画像撮影装置１０１は、例えばデジタルカメラ、若しくはＣＭＯＳ感光素子又はＣＣＤ感光素子を備える撮影装置などであってもよい。また、物件としては、例えば人物、物品、動物、若しくは植物などであってもよい。画像撮影装置１０１は、画像撮影装置１０１の前方にある物件を撮影することによって物件画像を生成すると共に、物件画像を制御ユニット１０２に出力する。物件画像から物件を容易にキャプチャするために、撮影背景は単一色調であることが好ましい。
【００１３】
制御ユニット１０２は、物件画像から物件をキャプチャし、キャプチャした物件を処理することによって前景物件画像２０１を生成する。続いて、制御ユニット１０２は、前景物件画像２０１と背景画像２０３を合成することによって合成立体画像２０ａを生成する。また、制御ユニット１０２は、背景画像記憶ユニット１０３に指定又は非指定の背景画像２０３をアクセスすることができる。制御ユニット１０２は、画像キャプチャユニット１０２１と立体画像合成ユニット１０２３を含む。画像キャプチャユニット１０２１は、物件画像の背景部分を取り除いて例えば人物、物品、動物又は植物などの物件のみをキャプチャすることができる。例えば、画像キャプチャユニット１０２１は、図３に示す物件画像における人物物件をキャプチャして、キャプチャした人物物件を処理することによって前景物件画像２０１を生成する。
【００１４】
立体画像合成ユニット１０２３は、前景物件画像２０１と背景画像２０３を合成することによって合成立体画像２０ａを生成する。詳しく説明すると、立体画像合成ユニット１０２３は、デフォルト設定の物件被写界深度（Ｄｅｐｔｈ  ｏｆ  Ｆｉｅｌｄ）、グレーティング板２０の基本パラメーター、プリンター装置１０４の基本パラメーターなどの設定に基づいて、前景物件画像２０１と背景画像２０３に対して立体画像合成を行うことによって、合成立体画像２０ａを生成する。立体画像合成の処理過程は、前景物件画像２０と背景画像２０３の位置調整、ダウンスケーリング（Ｄｏｗｎ−ｓｃａｌｉｎｇ）、スケーリング画像の交錯配列などの処理を含む。最後には、グレーティング板２０にプリントするための合成立体画像２０ａを出力する。
【００１５】
画像キャプチャユニット１０２１と立体画像合成ユニット１０２３は、周知の画像処理ソフトウェア、周知の画像処理ファームウェア、若しくは周知の画像処理ハードウェアといった従来技術の手段で実現することができる。
【００１６】
背景画像記憶ユニット１０３は、少なくとも一つの背景画像２０３を記憶する。複数の背景画像２０３の画像はそれぞれ異なる。背景画像記憶ユニット１０３は、例えばメモリ、メモリカード、ハードディスク又は他の記憶装置などであってもよい。背景画像２０３は、例えば単レンズのデジタルカメラで撮った複数枚の異なる角度の画像、多レンズのデジタルカメラで撮った複数枚の画像、画像処理プログラム又は画像処理ソフトウェアにより一枚の画像を２Ｄから３Ｄに転換することで取得した複数枚の画像などであってもよい。画像の枚数は、観察する視角（Ｖｉｅｗ）の数を表す。
【００１７】
プリンター装置１０４は、合成立体画像２０ａをグレーティング板２０の平坦表面２０３にプリントするためのものである。プリンター装置１０４は、例えば従来の熱転写（ｔｈｅｒｍａｌ  ｔｒａｎｓｆｅｒ）装置などであってもよい。
【００１８】
底層形成装置１０５は、合成立体画像２０ａがプリントされたグレーティング板２０の上方に不透明層２０ｂを形成するためのものである。底層形成装置１０５は、例えば、不透明材料をプリントすることで不透明層２０ｂを形成するためのインクジェットプリント（ｉｎｋ  ｊｅｔ  ｐｒｉｎｔｉｎｇ）装置であってもよく、不透明材料をエンボスすることで不透明層２０ｂを形成するためのエンボス装置（ｅｍｂｏｓｓｉｎｇ  ｍａｃｈｉｎｅ）であってもよく、不透明材料をコーティングすることで不透明層２０ｂを形成するためのコーティング装置であってもよい。
【００１９】
また、立体画像生成装置２０は、グレーティング板２０が立体画像生成装置１０の内部に設置されたか否かを検知するための検知装置１０６を更に含む。検知装置１０６は、例えば赤外線検知装置などであってもよい。検知装置１０６が赤外線検知装置である場合、検知装置１０６がグレーティング板２０の最初の進行経路に設置され、赤外線がグレーティング板２０に遮断されたか否かによりグレーティング板２０が立体画像生成装置１０の内部に設置されたか否かを判定する。
【００２０】
立体画像生成装置１０は、グレーティング板２０に少なくともプリンター装置１０４と底層形成装置１０５の設置位置を通過させるようにグレーティング板２０を輸送するための伝動ユニット１０７を更に含む。伝動ユニット１０７はモーター１０７１と複数のローラー１０７３を含む。複数のローラー１０７３は、モーター１０７により駆動されて回転することによってグレーティング板２０を輸送する。
【００２１】
図５に示すように、グレーティング板２０に挟まれた合成立体画像２０ａは、グレーティング構造表面２０１を透過して観察者の目３０に到達する時、右目と左目にそれぞれ異なる画像を生成する。これにより、図３に示すように、立体画像を生成する効果を達成できる。
【００２２】
また、グレーティング板２０は、従来のグレーティング板で実現してもよく、その材質は高透明性の材質であることが好ましい。
【００２３】
本考案に係る立体画像生成装置１０によれば、合成立体画像２０ａをグレーティング板２０の表面に直接にプリントできると共に不透明層２０ｂである底層を形成するため、合成立体画像２０ａを保護することができる。更に、不透明層２０ｂは非透光であるため、外部光線が底層からグレーティング板２０の内部に入り込むことができず、ひいては合成立体画像２０ａの視覚効果を向上することができる。
【００２４】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２５】
１０  立体画像生成装置
２０  グレーティング板
２０ａ  合成立体画像
２０ｂ  不透明層
３０  目
１０１  画像撮影装置
１０２  制御ユニット
１０３  背景画像記憶ユニット
１０４  プリンター装置
１０５  底層形成装置
１０６  検知装置
１０７  伝動ユニット
２０１  グレーティング構造表面
２０３  平坦表面
１０２１  画像キャプチャユニット
１０２３  立体画像合成ユニット
１０７１  モーター
１０７３  ローラー
【図１】
0003178685.tif 000003
【図２Ａ】
0003178685.tif 000004
【図２Ｂ】
0003178685.tif 000005
【図３】
0003178685.tif 000006
【図４】
0003178685.tif 000007
【図５】
0003178685.tif 000008